(57)【要約】【課題】扉錠が取り付けられた扉を有する室内に設置されたセキュリティ装置の設定と設定解除を行うリモートコントローラであって、高い操作性と携帯性を有するリモートコントローラを提供すること。【解決手段】リモートコントローラは、施錠確認装置に送信部１８を付加して構成されたものである。前記施錠確認装置は、制御部１１と記憶部１２と計時回路１３と表示部と入力部とキー出し入れセンサ１９とで構成されている。リモートコントローラからセキュリティ装置に、施錠時には設定指令信号が、解錠時には設定解錠指令信号が送信部１８から夫々自動的に送信される。前記設定指令信号は施錠時に記憶部１２に記憶された施錠時刻と設定を表す識別符号とを含んで構成され、且つ前記設定解除信号は記憶部１２から読み出された施錠時刻と設定解除を表す識別符号を含んで構成されている。【選択図】    図１
2004157875.tif 000002
【特許請求の範囲】
【請求項１】
セキュリティ装置が設置された部屋の扉に取り付けられている扉錠の施解錠検出装置を具備するリモートコントローラから、設定指令信号と設定解除指令信号を無線送信して前記セキュリティ装置の設定と設定解除を行う方法であって、前記設定指令信号は前記扉錠の施錠時に、且つ前記設定解除信号は前記扉錠の解錠時に夫々自動的に送信されるものであることを特徴とするセキュリティ装置の設定方法。
【請求項２】
セキュリティ装置が設置された部屋の扉に取り付けられている扉錠の施解錠検出装置を具備し、前記扉錠の施錠時に前記施解錠検出装置が発生した信号に基づいて設定指令信号を、且つ前記扉錠の解錠時に前記施解錠検出装置が発生した信号に基づいて設定解除指令信号を夫々自動的に無線送信して前記セキュリティ装置の設定と設定解除を行うセキュリティ装置のリモートコントローラ。
【請求項３】
前記設定指令信号は施錠時にリモートコントローラの記憶部に記憶された施錠時刻と設定を表す識別符号とを含んで構成され、且つ前記設定解除指令信号は前記記憶部から読み出された施錠時刻と設定解除を表す識別符号を含んで構成されていることを特徴とする請求項２のセキュリティ装置のリモートコントローラ。
【請求項４】
前記設定指令信号はＩＤと設定を表す識別符号を含んで構成され、且つ前記設定解除指令信号はＩＤと設定解除を表す識別符号を含んで構成されていることを特徴とする請求項２のセキュリティ装置のリモートコントローラ。
【発明の詳細な説明】
【０００１】
【発明の属する技術分野】
本発明は、扉錠が取り付けられた扉で閉鎖された室内に設置されたセキュリティ装置を扉の外から設定し又は設定解除する方法に関し、特に、前記セキュリティ装置を扉の外から設定し又は設定解除するリモートコントローラに関する。
【０００２】
【従来の技術】
【特許文献１】特開２００２−１５７６６５
【０００３】
室内に設置されたセキュリティ装置を室外から無線で設定し又は設定解除する方法や装置は従来から種々提案され、現実に実施されているものもいくつも存在している。ここに、セキュリティ装置の設定又は設定解除は、セキュリティ装置の電源のオン又はオフ、在室モードと留守モードの動作モードの切換を含む。
【０００４】
例えば、特許文献１には、携帯電話機と、携帯電話機回線及びインターネットからなるネットワークと、携帯電話機から自宅の玄関扉や窓の開閉及び電気・ガス・水道の元栓の開閉をすること、モニターカメラによる自宅内の映像情報等を携帯電話機に送信するセキュリティシステム制御部を主体とするホームセキュリティシステムが開示されている。このホームセキュリティシステムによれば、利用者は携帯電話機で、自宅の玄関扉の施錠と解錠を行うことができ、また施錠確認を外出先で行うこともできる。
【０００５】
また、セキュリティシステムの留守モード設定は、利用者がパーソナルコンピュータを操作することによって行うことが詳細に開示されている。また、携帯電話機から前記セキュリティシステム制御部にアクセスして自宅の玄関扉の開閉ができるという特徴を利用して、外出する際の玄関扉の施錠に基づいてセキュリティシステムの留守モード設定を自動的に行うことが可能なことも開示されている。
【０００６】
ところで、上述の室内に設置されたセキュリティシステムを室外から無線で設定し又は設定解除する方法は、セキュリティシステム制御部で制御される電気錠が設置された扉を有する部屋にのみ適用されるものである。従って、扉錠が設置された扉を有する部屋に設置されたセキュリティシステムには、全く適用できないものである。なお、前記扉錠は鍵を用いる鎖錠機構を有する錠前である。
【０００７】
【発明が解決しようとする課題】
本発明が解決しようとする第１の課題は、扉錠が取り付けられた扉を有する室内に設置されたセキュリティ装置の設定と設定解除を室外から簡単且つ確実に行う設定方法を提供することである。
【０００８】
本発明が解決しようとする第２の課題は、扉錠が取り付けられた扉を有する室内に設置されたセキュリティ装置の設定と設定解除を行うリモートコントローラであって、高い操作性と携帯性を有するリモートコントローラを提供することである。
【０００９】
【課題を解決するための手段】
上記第１の課題を解決するために、セキュリティ装置が設置された部屋の扉に取り付けられている扉錠の施解錠検出装置を具備するリモートコントローラから、設定指令信号と設定解除指令信号を無線送信して前記セキュリティ装置の設定と設定解除を行う方法において、前記設定指令信号を前記扉錠の施錠時に、且つ前記設定解除信号を前記扉錠の解錠時に夫々自動的に送信するようにした。
【００１０】
上記第２の課題を解決するセキュリティ装置のリモートコントローラを、セキュリティ装置が設置された部屋の扉に取り付けられている扉錠の施解錠検出装置を具備して構成し、前記扉錠の施錠時に設定指令信号を自動的に無線送信して前記セキュリティ装置の設定を行い、且つ前記扉錠の解錠時に設定解除指令信号を自動的に無線送信して前記セキュリティ装置の設定解除を行うようにした。
【００１１】
前記設定指令信号は施錠時にリモートコントローラの記憶部に記憶された施錠時刻と設定を表す識別符号とを含んで構成され、且つ前記設定解除指令信号は前記記憶部から読み出された施錠時刻と設定解除を表す識別符号を含んで構成されていることを特徴とするものである。
【００１２】
また、前記設定指令信号はＩＤと設定を表す識別符号を含んで構成され、且つ前記設定解除指令信号はＩＤと設定解除を表す識別符号を含んで構成されていることを特徴とするものである。
【００１３】
【発明の実施の形態】
セキュリティ装置の設定と設定解除を行う第１実施形態のリモートコントローラは、図１に示す如く、施錠確認装置に送信部１８を付加して構成されたものである。前記施錠確認装置は、制御部１１と記憶部１２と計時回路１３と表示部と入力部とキー出し入れセンサ１９とで構成されている。前記表示部はドライバ回路１４と液晶表示器１５とで構成されている。また、前記入力部は入力ボタン１６と確認ボタン１７とを含むものである。前記施錠確認装置は、特許第３３１２９００号公報（特開２００１−２８８９３９）に開示されているもので、キー出し入れセンサ１９のキー出し入れ信号が発生した時に施錠時刻を記憶部１２に記憶し、液晶表示部１５に点滅表示させるものである。前記施錠時刻は、キー出し入れ信号が発生した時に計時回路１３が計時している現在時刻である。利用者は、前記点滅表示を見て、施錠を確認し脳裏に鮮明に記憶できる。確認ボタン１７を操作すると、施錠時間が液晶表示器１５に再表示されるから、利用者は施錠の再確認もできる。
【００１４】
第１実施形態のリモートコントローラからセキュリティ装置に、施錠時には設定指令信号が、解錠時には設定解錠指令信号が送信部１８から夫々自動的に送信される。前記設定指令信号は施錠時にリモートコントローラの記憶部１２に記憶された施錠時刻と設定を表す識別符号とを含んで構成され、且つ前記設定解除指令信号は記憶部１２から読み出された施錠時刻と設定解除を表す識別符号を含んで構成されている。また、前記設定指令信号はリモートコントローラのＩＤと設定を表す識別符号を含んで構成され、且つ前記設定解除指令信号は前記ＩＤと設定解除を表す識別符号を含んで構成されてもよい。前記ＩＤはメーカーにおいて当該リモートコントローラに特定され付与されるものである。必要ならば、入力ボタン１６を操作して入力する利用者のパスワードを前記ＩＤに置き換えることも可能である。
【００１５】
セキュリティ装置の設定と設定解除を行う第２実施形態のリモートコントローラは、図２に示す如く、施錠確認装置に送信部１８を付加して構成されたものである。前記施錠確認装置は、制御部１１と記憶部１２と計時回路１３と表示部と入力部をキー出し入れセンサ１９とで構成されている。前記表示部はドライバ回路１４と液晶表示器１５とで構成されている。また、前記入力部は入力ボタン１６と確認ボタン１７とを含むものである。前記施錠確認装置は、本願出願人が先に出願した特許出願（特願２００２−２３７３３８）に開示されているもので、静電容量ブリッジ回路２１と施解錠信号生成回路２２から構成された施解錠検出装置の施錠信号に基づいて施錠時刻を記憶部１２に記憶し、液晶表示部１５に点滅表示させるものである。前記施錠時刻は、施解錠検出装置が施錠信号を発生した時に計時回路１３が計時している現在時刻である。利用者は、前記点滅表示を見て、施錠を確認し脳裏に鮮明に記憶できる。確認ボタン１７を操作すると、施錠時間が液晶表示器１５に再表示されるから、利用者は施錠の再確認もできる。
【００１６】
第２実施形態のリモートコントローラからセキュリティ装置に、施錠時には設定指令信号が、解錠時には設定解錠指令信号が送信部１８から夫々自動的に送信される。前記設定指令信号はリモートコントローラのＩＤと設定を表す識別符号を含んで構成され、且つ前記設定解除指令信号は前記ＩＤと設定解除を表す識別符号を含んで構成されている。前記ＩＤはメーカーにおいて当該リモートコントローラに特定され付与されるものである。必要ならば、入力ボタン１６を操作して入力する利用者のパスワードを前記ＩＤに置き換えることも可能である。また、前記設定指令信号は施錠時にリモートコントローラの記憶部１２に記憶された施錠時刻と設定を表す識別符号とを含んで構成され、且つ前記設定解除指令信号は記憶部１２から読み出された施錠時刻と設定解除を表す識別符号を含んで構成されてもよい。
【００１７】
第２実施形態のリモートコントローラに採用されている施解錠検出装置の一例は、図５〜図７に示す如く、キーホルダーと静電容量式回転センサとで構成され、且つ、前記静電容量式回転センサを前記キーホルダーの構成部材を利用して構成されたものである。
【００１８】
キーホルダー３は、図５に示す如く、一対の硬質の外側板部材、即ちプラスチック製の上ケース３１と下ケース３２を有する。上ケース３１と下ケース３２は接合されて、図４に示す如く、１個のキーヘッド収納ケースを構成する。上ケース３１の開口はゴム製内側板部材３３で塞がれ、下ケース３２の開口はゴム製内側板部材３４で塞がれている。なお、キーホルダー３は一対の硬質の外側板部材は、ステンレスやアルミニウムなどの金属板を用いることもできる。この場合、金属製の上ケース３１と下ケース３２の夫々の底面には絶縁シートが貼り付けられている。なお、図４において、１ａはキー本体、３ａはキー本体用開口である。また、図５において、３１ａと３２ａはキー本体用開口を形成する切り欠き溝である。
【００１９】
キー１は、そのキーヘッド１ｂを上ケース３１と下ケース３２で挟持されてキーホルダー３に着脱可能にして保持されている。上ケース３１と下ケース３２はキーヘッド１ｂを挟持した後に一体に接合される。前記接合は、上ケース３１に形成された嵌合ピン３７ａと下ケース３２に形成された嵌合穴３７ｂを用いて行われる。又は、前記接合は、上ケース３１と下ケースの四隅をネジ止めして行われ、或いは接着剤を接合面に塗布して行われる。
【００２０】
ゴム製内側板部材３３と３４の表面はキーヘッド１ｂの表面に当接し、キーヘッド１ｂの形状に対応して変形する。従って、ゴム製内側板部材３３と３４は、様々な形状のキーヘッドを挟持してキーホルダーにキーを保持するクッションとして機能する。
【００２１】
上ケース３１には、キー１を施錠方向に回転させたときに静電容量が増加する第１可変容量コンデンサＣ１と、キー１を解錠方向に回転させたときに静電容量が増加する第２可変容量コンデンサＣ２が設けられている。また、下ケース３２には、キー１を施錠方向に回転させたときに静電容量が増加する第３可変容量コンデンサＣ３と、キーを解錠方向に回転させたときに静電容量が増加する第４可変容量コンデンサＣ４が設けられている。
【００２２】
即ち、図７に示す如く、上ケース３１の底面の左側には固定電極板Ｃ１ｂが、且つ対向するゴム製内側板部材３３の裏面には可動電極板Ｃ１ａが夫々貼り付けられ、第１可変容量コンデンサＣ１を形成している。上ケース３１の底面の右側には固定電極板Ｃ２ｂが、且つ対向するゴム製内側板部材３３の裏面には可動電極板Ｃ２ａが夫々貼り付けられ、第２可変容量コンデンサＣ２を形成している。上ケース３１の底面とゴム製内側板部材３３との間には可変容量コンデンサＣ１とＣ２の弾性誘電体となるゴム板３５が配置されている。
【００２３】
同様に、図７に示す如く、下ケース３２の底面の右側には固定電極板Ｃ３ｂが、且つ対向するゴム製内側板部材３４の裏面には可動電極板Ｃ３ａが夫々貼り付けられ、第３可変容量コンデンサＣ３を形成している。また、下ケース３２の底面の左側には固定電極板Ｃ４ｂが、且つ対向するゴム製内側板部材３４の裏面には可動電極板Ｃ４ａが夫々貼り付けられ、第４可変容量コンデンサＣ４を形成している。下ケース３２の底面とゴム製内側板部材３４との間には可変容量コンデンサＣ３とＣ４の弾性誘電体となるゴム板３６が配置されている。
【００２４】
ゴム製内側板部材３３と３４は、キーヘッド１ｂの回転により変位するダイヤフラムとして機能する。従って、ゴム製内側板部材３３と３４の裏面に取付けられた可動電極板Ｃ１ａ〜Ｃ４ａはキーヘッド１ｂの回転により変位し、可変容量コンデンサＣ１〜Ｃ４の静電容量を変化させる。施錠時又は解錠時にキーヘッド１ｂがキーホルダー３内で回転する角度は非常に小さく、キーヘッド１ｂの端部で押圧されてゴム製内側板部材３３と３４が弾性変形して変位する可動電極板Ｃ１ａ〜Ｃ４ａの変位量は微小で、例えば数１００μ程度である。ゴム製内側板部材３３と３４の弾性変形は、キーヘッド１ｂの端部の押圧力が解除されると、元の状態に復帰する。従って、キーヘッド１ｂは、施錠時や解錠時以外のときは、ゴム製内側板部材３３と３４の弾性によりキーホルダー３内のニュートラル位置に常に保持されている。
【００２５】
第１可変容量コンデンサＣ１、第２可変容量コンデンサＣ２、第３可変容量コンデンサＣ３及び第４可変容量コンデンサＣ４は、図２に示す如く、静電容量ブリッジ回路２１を形成している。静電容量ブリッジ回路２１の出力電圧信号が入力されて、施錠信号と解錠信号を発生する施解錠信号生成回路２２は、市販の半導体集積回路等を利用して構成されている。静電容量ブリッジ回路２１も施解錠信号生成回路２２も、携帯電話機や電子腕時計などの小型携帯電子機器の回路配置技術や実装技術を用いてキーホルダー３に取付けられている。
【００２６】
このように構成されたキーホルダー３において、施錠時には、キーヘッド１ｂは時計方向に回転し、可動電極板Ｃ１ａと固定電極板Ｃ１ｂとの間隔を狭めて可変容量コンデンサＣ１の静電容量を増加させ、可動電極板Ｃ２ａと固定電極板Ｃ２ｂとの間隔を広げて可変容量コンデンサＣ２の静電容量を減少させ、可動電極板Ｃ３ａと固定電極板Ｃ３ｂとの間隔を広げて可変容量コンデンサＣ３の静電容量を減少させ、且つ、可動電極板Ｃ４ａと固定電極板Ｃ４ｂとの間隔を狭めて可変容量コンデンサＣ４の静電容量を増加させる。すると、静電容量ブリッジ回路２１のバランスがくずれ、施錠を表すブリッジ出力電圧を発生する。この施錠を表す出力電圧に基づいて、施解錠信号生成回路２２は施錠信号を発生する。
【００２７】
解錠時には、これとは逆に、キーヘッド１ｂは反時計方向に回転し、可動電極板Ｃ１ａと固定電極板Ｃ１ｂとの間隔を広げて可変容量コンデンサＣ１の静電容量を減少させ、可動電極板Ｃ２ａと固定電極板Ｃ２ｂとの間隔を狭めて可変容量コンデンサＣ２の静電容量を増加させ、可動電極板Ｃ３ａと固定電極板Ｃ３ｂとの間隔を狭めて可変容量コンデンサＣ３の静電容量を増加させ、且つ、可動電極板Ｃ４ａと固定電極板Ｃ４ｂとの間隔を広げて可変容量コンデンサＣ４の静電容量を減少させる。すると、静電容量ブリッジ回路２１のバランスがくずれ、解錠を表すブリッジ出力電圧を発生する。この解錠を表す出力電圧に基づいて、施解錠信号生成回路２２は解錠信号を発生する。
【００２８】
本発明が適用されるセキュリティ装置の一実施形態は、図３に示す如く、制御部４１と記憶部４２と計時回路４３と設定回路４４と警報器４５を有する。更に、前記セキュリティ装置は、入力ボタン４６と受信部４８を備える。入力ボタン４６は、設定と設定解除を手動で行うときに用いるものである。警報器４５は、防犯・防災装置を代表しているもので、本発明を限定するものではない。
【００２９】
次に、本発明に係るセキュリティ装置の設定と設定解除の方法を、図８から図１２を参照して説明する。先ず、第１実施形態におけるリモートコントローラの動作は図８に示すとおりである。
【００３０】
図８において、リモートコントローラは、キー取出し信号が発生するのを待機している（１０１）。リモートコントローラの制御部１１は、キー取出し信号が発生すると、施錠時刻が記憶部１２に記憶されているか否か判断する（１０２）。ステップ１０２で、記憶部１２に施錠時刻が記憶されていないと判断した場合には、以下に述べるセキュリティ装置の設定処理を行う。
【００３１】
即ち、制御部１１は、ステップ１０２で記憶部１２に施錠時刻が記憶されていないと判断した場合には、キー戻し信号の発生を待つ（１０３）。制御部１１は、ステップ１０３でキー戻し信号が発生したと判断したときには、計時回路１３が計時している現在時刻を施錠時刻として記憶部１２に記憶させ（１０４）、ドライバ１４を駆動して液晶表示器１５に施錠時刻を表示させる（１０５）。続いて、制御部１１は、記憶部１２から施錠時刻を読み出し（１０６）、セキュリティ装置の設定を行うための設定指令信号を生成し（１０７）、送信部１８から設定指令信号を送信させる（１０８）。
【００３２】
設定指令信号は、記憶部１３に記憶されている施錠時刻と設定を表す識別符号を含んで構成されている。
【００３３】
ステップ１０８の後は、処理の流れは最初のステップ１０１に戻る。このようなステップを経て、リモートコントローラはセキュリティ装置を設定する。
【００３４】
また、制御部１１は、ステップ１０２で施錠時刻が記憶部１２に記憶されていると判断した場合には、以下に述べるセキュリティ装置の設定解除処理を行う。
【００３５】
即ち、制御部１１は、施錠時刻が記憶部１２に記憶されているか否か調べ（１０２）、施錠時刻の記憶があると判断した場合には、記憶部１２から施錠時刻を読み出し（１０９）、セキュリティ装置の設定解除を行うための設定解除指令信号を生成し（１１０）、送信部１５から設定解除指令信号を送信させる（１１１）。
【００３６】
設定解除指令信号は、記憶部１３に記憶されている施錠時刻と設定解除を表す識別符号を含んで構成されている。
【００３７】
続いて、制御部１１は、キー戻し信号の発生を待つ（１１２）。制御部１１は、ステップ１１２でキー戻し信号が発生したと判断したときには、記憶部１２に記憶されている施錠時刻を消去し（１１３）、そして最初のステップ１０１に戻る。このようなステップを経て、リモートコントローラにおけるセキュリティ装置の設定解除処理が行われる。
【００３８】
第１実施形態におけるセキュリティ装置の動作は図９に示すとおりである。
【００３９】
図９において、セキュリティ装置は、リモートコントローラからの指令信号の受信を待機している（２０１）。セキュリティ装置の制御部２１は、指令信号を受信すると指令信号から識別符号を抽出し（２０２）、設定指令信号か否か判断する（２０３）。ステップ２０３で、受信した指令信号が設定指令信号であると判断した場合には、以下に述べるセキュリティ装置の設定処理を行う。
【００４０】
即ち、制御部４１は、ステップ２０３で、受信した指令信号が設定指令信号であると判断した場合には、設定回路４４を駆動してセキュリティ装置、ここでは警報器４５の設定を行わせる（２０４）。セキュリティ装置の設定が完了すると、制御部４１は、受信した設定指令信号から施錠時刻を抽出し（２０５）、記憶部４２に記憶させ（２０６）、そして最初のステップ２０１に戻る。このようなステップを経て、リモートコントローラの動作に対応してセキュリティ装置の設定処理が行われる。
【００４１】
また、制御部４１は、ステップ２０２で受信した指令信号が設定指令信号でないと判断した場合には、受信した指令信号から施錠時刻を抽出し（２０７）、続いて記憶部４２に記憶されている施錠時刻を読み出し（２０８）、受信した指令信号が設定解除指令信号であるか否かを判断する（２０９）。ステップ２０９の判断は、ステップ２０７で抽出した施錠時刻とステップ２０８で記憶部２２から読み出された施錠時刻とを比較して行われる。ステップ２０７で抽出した施錠時刻とステップ２０８で記憶部４２から読み出された施錠時刻が一致した場合には、制御部４１は設定回路４４を駆動してセキュリティ装置の設定解除を行わせる（２１０）。
【００４２】
セキュリティ装置の設定解除が終了すると、制御部４１は、記憶部４２に記憶されている施錠時刻を消去する（２１１）。ステップ２１１の後は、処理の流れは最初のステップに戻る。このようなステップを経て、リモートコントローラの動作に対応してセキュリティ装置の設定解除処理が行われる。
【００４３】
上述の如く、第１実施形態におけるリモートコントローラは、セキュリティ装置が設置された部屋の扉に取り付けられている扉錠の施解錠検出装置としてキー出し入れセンサを具備し、前記扉錠の施錠時には設定指令信号を自動的に無線送信して前記セキュリティ装置の設定を行い、且つ、前記扉錠の解錠時には設定解除指令信号を自動的に無線送信して前記セキュリティ装置の設定解除を行う。そして、第１実施形態において、設定指令信号は施錠時刻と設定を表す識別符号とを含んで構成され、また、設定解除指令信号は施錠時刻と設定解除を表す識別符号とを含んで構成されている。
【００４４】
次に、第２実施形態におけるリモートコントローラの動作は図１０に示すとおりである。
【００４５】
図１０において、リモートコントローラは、施解錠信号が発生するのを待機している（３０１）。リモートコントローラの制御部１１は、施解錠信号が発生すると、施錠信号か否か判断する（３０２）。ステップ３０２で施錠信号であると判断した場合には、以下に述べるセキュリティ装置の設定処理を行う。
【００４６】
即ち、制御部１１は、ステップ３０２で、施錠信号が発生したと判断したときには、計時回路１３が計時している現在時刻を施錠時刻として記憶部１２に記憶させ（３０３）、ドライバ１４を駆動して液晶表示器１５に施錠時刻を表示させる（３０４）。続いて、制御部１１は、記憶部１２からＩＤを読み出し（３０５）、セキュリティ装置の設定を行うための設定指令信号を生成し（３０６）、送信部１８から設定指令信号を送信させる（３０７）。
【００４７】
設定指令信号は、記憶部１２に記憶されているＩＤと設定解除を表す識別符号を含んで構成されている。
【００４８】
ステップ３０７の後は、処理の流れは最初のステップ３０１に戻る。このようなステップを経て、リモートコントローラはセキュリティ装置を設定する。
【００４９】
また、制御部１１は、ステップ３０２で施錠信号でなく解錠信号であると判断した場合には、解錠信号か否か判断する（３０８）。ステップ３０８で解錠信号であると判断した場合には、以下に述べるセキュリティ装置の設定解除処理を行う。
【００５０】
即ち、制御部１１は、記憶部１２からＩＤを読み出し（３０９）、セキュリティ装置の設定を行うための設定指令信号を生成し（３１０）、送信部１８から設定指令信号を送信させ（３１１）、そして最初のステップ３０１に戻る。このようなステップを経て、リモートコントローラにおけるセキュリティ装置の設定解除処理が行われる。
【００５１】
設定解除指令信号は、記憶部１３に記憶されている施錠時刻と設定解除を表す識別符号を含んで構成されている。
【００５２】
第２実施形態におけるセキュリティ装置の動作は図１１に示すとおりである。
【００５３】
図１１において、セキュリティ装置は、リモートコントローラからの指令信号の受信を待機している（４０１）。セキュリティ装置の制御部４１は、指令信号を受信すると指令信号からＩＤを抽出し（４０２）、記憶部４２からＩＤを読み出し（４０３）、２つのＩＤが一致するか否かを判断する（４０４）。ステップ４０４で２つのＩＤが一致した場合には、制御部４１は受信した指令信号から識別符号を抽出し（４０５）、設定指令信号か否か判断する（４０６）。ステップ４０６で、受信した指令信号が設定指令信号であると判断した場合には、設定回路４４を駆動してセキュリティ装置の設定を行わせ（４０７）、そして最初のステップ４０１に戻る。このようなステップを経て、リモートコントローラの動作に対応してセキュリティ装置の設定処理が行われる。
【００５４】
また、制御部４１は、ステップ４０６で受信した指令信号が設定指令信号でないと判断した場合には、設定解除指令信号であるか否か判断する（４０８）。ステップ４０８で設定解除指令信号であると判断した場合には、設定回路４４を駆動してセキュリティ装置の設定解除を行わせ（４０９）、そして最初のステップ４０１に戻る。このようなステップを経て、リモートコントローラの動作に対応してセキュリティ装置の設定解除処理が行われる。
【００５５】
上述の如く、第２実施形態におけるリモートコントローラは、セキュリティ装置が設置された部屋の扉に取り付けられている扉錠の施解錠検出装置としてキーの回動を検出する施錠センサを具備し、前記扉錠の施錠時には設定指令信号を自動的に無線送信して前記セキュリティ装置の設定を行い、且つ、前記扉錠の解錠時には設定解除指令信号を自動的に無線送信して前記セキュリティ装置の設定解除を行う。そして、第２実施形態において、設定指令信号はＩＤと設定を表す識別符号とを含んで構成され、また、設定解除指令信号はＩＤと設定解除を表す識別符号とを含んで構成されている。
【００５６】
ところで、第２実施形態におけるリモートコントローラは、図１０の動作と異なり、図１２の如く動作させることも可能である。
【００５７】
即ち、図１２において、リモートコントローラは、施解錠信号が発生するのを待機している（５０１）。リモートコントローラの制御部１１は、施解錠信号が発生すると、施錠信号か否か判断する（５０２）。ステップ５０２で、施錠信号であると判断した場合には、以下に述べるセキュリティ装置の設定処理を行う。
【００５８】
即ち、制御部１１は、ステップ５０２で施錠信号であると判断した場合には、計時回路１３が計時している現在時刻を施錠時刻として記憶部４２に記憶させ（５０３）、ドライバ１４を駆動して液晶表示器１５に施錠時刻を表示させる（５０４）。続いて、制御部１１は、記憶部１２から施錠時刻を読み出し（５０５）、セキュリティ装置の設定を行うための設定指令信号を生成し（５０６）、送信部１８から設定指令信号を送信させる（５０７）。
【００５９】
設定指令信号は、記憶部１３に記憶されている施錠時刻と設定を表す識別符号を含んで構成されている。
【００６０】
ステップ５０７の後は、処理の流れは最初のステップ５０１に戻る。このようなステップを経て、リモートコントローラはセキュリティ装置を設定する。
【００６１】
また、制御部１１は、ステップ５０２で施錠信号でないと判断した場合には、解錠信号か否かを判断する（５０８）。ステップ５０８で解錠信号であると判断した場合には、以下に述べるセキュリティ装置の設定解除処理を行う。
【００６２】
即ち、制御部１１は、記憶部１２から施錠時刻を読み出し（５０９）、セキュリティ装置の設定解除を行うための設定解除指令信号を生成し（５１０）、送信部１５から設定指令信号を送信させる（５１１）。
【００６３】
設定解除指令信号は、記憶部１３に記憶されている施錠時刻と設定解除を表す識別符号を含んで構成されている。
【００６４】
続いて、制御部１１は、記憶部１２に記憶されている施錠時刻を消去し（５１２）、そして最初のステップ５０１に戻る。このようなステップを経て、リモートコントローラにおけるセキュリティ装置の設定解除処理が行われる。
【００６５】
なお、図１２に示した第２実施形態のリモートコントローラで制御されるセキュリティ装置の動作は、図８に示した第１実施形態のリモートコントローラで制御されるセキュリティ装置の動作と同じで、図９に示す通りである。
【００６６】
【発明の効果】
本発明に係るリモートコントローラは、扉錠のキーを保持し携帯するキーホルダーと一体に構成されたものであるから、室内に設置されたセキュリティ装置の設定を外出時に且つ設定解除を帰宅時に室外から簡単且つ確実に行うことができるという高い操作性と共に、携帯し忘れることがないという高い携帯性を有する。
【図面の簡単な説明】
【図１】本発明の第１実施形態のリモートコントローラのブロック回路図である。
【図２】本発明の第２実施形態のリモートコントローラのブロック回路図である。
【図３】本発明が適用されるセキュリティ装置の一実施形態のブロック回路図である。
【図４】本発明の第２実施形態のリモートコントローラを構成する施錠検出装置の一実施例の斜視図である。
【図５】施錠検出装置を構成するキーホルダーの一実施形態の分解斜視図であり、（Ａ）は上ケース、（Ｂ）は下ケースである。
【図６】キーホルダーの側面から見た施錠検出装置の一実施形態の断面図である。
【図７】キーホルダーの背面から見た施錠検出装置の一実施形態の拡大断面図である。
【図８】本発明の第１実施形態のリモートコントローラの動作のフローチャートである。
【図９】本発明の第１実施形態のリモートコントローラで設定と設定解除されるセキュリティ装置の動作のフローチャートである。
【図１０】本発明の第２実施形態のリモートコントローラの動作のフローチャートである。
【図１１】本発明の第２実施形態のリモートコントローラで設定と設定解除されるセキュリティ装置の動作のフローチャートである。
【図１２】本発明の第２実施形態のリモートコントローラの他の動作のフローチャートである。
【符号の説明】
１  キー
１ａ  キー本体
１ｂ  キーヘッド
３  キーホルダー
１１  制御部
１２  記憶部
１３  計時回路
１４  ドライバ回路
１５  液晶表示器
１６  入力ボタン
１７  確認スイッチ
１８  送信部
１９  キー出し入れセンサ
２１  静電容量ブリッジ回路
２２  施解錠信号生成回路
３１  上ケース
３２  下ケース
３３，３４  ゴム製内側板部材
３５，３６  ゴム板
３７ａ  嵌合突起
３７ｂ  嵌合穴
４１  制御部
４２  記憶部
４３  計時回路
４４  設定回路
４５  警報器
４６  受信部
Ｃ１  第１可変容量コンデンサ
Ｃ１ａ  第１可変容量コンデンサの可動電極板
Ｃ１ｂ  第１可変容量コンデンサの固定電極板
Ｃ２  第２可変容量コンデンサ
Ｃ２ａ  第２可変容量コンデンサの可動電極板
Ｃ２ｂ  第２可変容量コンデンサの固定電極板
Ｃ３  第３可変容量コンデンサ
Ｃ３ａ  第３可変容量コンデンサの可動電極板
Ｃ３ｂ  第３可変容量コンデンサの固定電極板
Ｃ４  第４可変容量コンデンサ
Ｃ４ａ  第４可変容量コンデンサの可動電極板
Ｃ４ｂ  第４可変容量コンデンサの固定電極板
【図１】
2004157875.tif 000003
【図２】
2004157875.tif 000004
【図３】
2004157875.tif 000005
【図４】
2004157875.tif 000006
【図５】
2004157875.tif 000007
【図６】
2004157875.tif 000008
【図７】
2004157875.tif 000009
【図８】
2004157875.tif 000010
【図９】
2004157875.tif 000011
【図１０】
2004157875.tif 000012
【図１１】
2004157875.tif 000013
【図１２】
2004157875.tif 000014